(57)【要約】【課題】監視装置のモード情報の破損や、監視装置の故障による装置交換が発生した場合に、遠隔地の監視装置のモード設定を直ちに自動的に行い、モード設定が完了するまでの間、監視が停止するのを防止する。【解決手段】監視装置２Ｂ1、２Ｂ2・・・２Ｂnの電源がＯＮされた場合、もしくは監視装置２Ｂ1、２Ｂ2・・・２Ｂnがリセットされた場合、上位監視システム２Ａは監視装置２Ｂ1、２Ｂ2・・・２Ｂnから監視装置２Ｂ1、２Ｂ2・・・２Ｂnに現在設定されているモード情報を受信する。上位監視システム２Ａでは、受信したモード情報と、予め正しいモード情報が記録されたモード情報管理ファイル３とを比較し、不一致であった場合には、監視装置２Ｂ1、２Ｂ2・・・２Ｂnに対して正しいモード情報の設定要求を行う。監視装置２Ｂ1、２Ｂ2・・・２Ｂnは、上位監視システム２Ａからのモード情報設定要求に応じて正しいモード情報を自動的に再設定する。【選択図】図１
2009089110.tif 000002
【特許請求の範囲】
【請求項１】
一又は二以上の被監視装置について監視を行い、得られた監視情報を上位監視システムへ転送する監視装置において、
複数のインタフェースを有すると共に、モード情報によって使用する前記インタフェースが設定される接続手段と、
電源ＯＮ時、もしくはリセット時に、上記モード情報を上記上位監視システムに対して送信し、該上位監視システムからモード情報設定要求を受信した場合には、該モード情報設定要求に応じて新たなモード情報を設定し、設定した上記新たなモード情報を上記上位監視システムに対して応答送信する通信手段と、
を備える
ことを特徴とする監視装置。
【請求項２】
上記インタフェースは、接点情報インタフェース、ローカルバスインタフェースおよびビデオインタフェースなどから選択される少なくとも１つである
ことを特徴とする請求項１に記載の監視装置。
【請求項３】
一又は二以上の監視装置について監視および情報転送を行う上位監視システムにおいて、
上記監視装置からモード情報を受信し、受信した上記モード情報と、予め上記監視装置それぞれの正しいモード情報が記録されたモード情報管理ファイルとを比較し、上記モード情報と上記モード情報管理ファイルが不一致の場合には上記監視装置に対して上記正しいモード情報の設定要求を行い、上記監視装置が正常に動作しない場合に装置故障通知を行う手段
を備える
ことを特徴とする上位監視システム。
【請求項４】
複数のインタフェースを有すると共に、モード情報によって使用する上記インタフェースが設定される接続手段と、
電源ＯＮ時、もしくはリセット時に、上記モード情報を上位監視システムに対して送信し、該上位監視システムからモード情報設定要求を受信した場合には、該モード情報設定要求に応じて新たなモード情報を設定し、設定した上記新たなモード情報を上記上位監視システムに対して応答送信する通信手段と、
を備え、一又は二以上の被監視装置について監視を行い、得られた監視情報を上位監視システムへ転送する監視装置と、
上記監視装置からモード情報を受信し、受信した上記モード情報と、予め上記監視装置それぞれの正しいモード情報が記録されたモード情報管理ファイルとを比較し、上記モード情報と上記モード情報管理ファイルが不一致の場合には上記監視装置に対して上記正しいモード情報への設定要求を行い、上記監視装置が正常に動作しない場合に装置故障通知を行う通信手段
を備え、上記監視装置とネットワークで接続され、一又は二以上の監視装置について監視および情報転送を行う上位監視システムと
からなることを特徴とする監視システム。
【発明の詳細な説明】
【技術分野】
【０００１】
この発明は、伝送装置および付帯設備から発出された警報情報を監視、収集する監視装置、上位監視システムおよび監視システムに関する。
【背景技術】
【０００２】
近年、被監視装置から発出される警報信号や監視信号、各種状態量等のアナログ監視情報を監視・収集し、上位監視システムへ通知する監視装置が提案されている。被監視装置としては、種々のものを用いることが可能であるが、例えば通信事業者等における伝送装置や付帯設備が挙げられる。このような監視装置では、被監視装置の入力条件を合わせるために、被監視装置の構成や環境に合わせて監視装置に様々なインタフェースを設けることが必要となっている。様々なインタフェースを予め備えた以下の特許文献１のような監視装置は、そのハードウェアにモード設定機能を追加することにより、設置環境のインタフェースに即座に対応させることができる。
【特許文献１】特開２０００−２５３００５号公報
【０００３】
例えば、特許文献１の監視装置では、局内ＬＡＮ（Local Area Network）インタフェースと、地気インタフェースとを有し、それぞれのインタフェースを用いた監視制御方法を組み合わせて監視を行うように構成されている。
【発明の開示】
【発明が解決しようとする課題】
【０００４】
しかしながら、このような監視装置を用いた場合、上述のようなモード設定情報は各監視装置それぞれを操作して設定する必要がある。したがって、監視装置のモード情報の破損や、監視装置の故障による装置交換が発生した場合には、その都度モード設定を行うために遠隔地にある監視装置まで出向く必要があり、手間がかかる。また、遠隔地の監視装置のモード設定が完了するまでの間、監視が停止するという問題も生じてしまう。
【０００５】
したがって、この発明は、上記問題点を解消し、モード設定を即座に、かつ簡単に行うことができるようにした監視装置、上位監視システムおよび監視システムを提供することを目的とする。
【課題を解決するための手段】
【０００６】
上記課題を解決するために、この発明は、一又は二以上の被監視装置について監視を行い、得られた監視情報を上位監視システムへ転送する監視装置において、複数のインタフェースを有すると共に、モード情報によって使用するインタフェースが設定される接続手段と、電源ＯＮ時、もしくはリセット時に、モード情報を上位監視システムに対して送信し、上位監視システムからモード情報設定要求を受信した場合には、モード情報設定要求に応じて新たなモード情報を設定し、設定した新たなモード情報を上位監視システムに対して応答送信する通信手段とを備えることを特徴とする監視装置である。
【０００７】
また、この発明は、一又は二以上の監視装置について監視および情報転送を行う上位監視システムにおいて、監視装置からモード情報を受信し、受信したモード情報と、予め監視装置それぞれの正しいモード情報が記録されたモード情報管理ファイルとを比較し、モード情報とモード情報管理ファイルが不一致の場合には監視装置に対して正しいモード情報の設定要求を行い、監視装置が正常に動作しない場合に装置故障通知を行う手段を備えることを特徴とする上位監視システムである。
【０００８】
また、この発明は、複数のインタフェースを有すると共に、モード情報によって使用するインタフェースが設定される接続手段と、電源ＯＮ時、もしくはリセット時に、モード情報を上位監視システムに対して送信し、上位監視システムからモード情報設定要求を受信した場合には、モード情報設定要求に応じて新たなモード情報を設定し、設定した新たなモード情報を上位監視システムに対して応答送信する通信手段とを備え、一又は二以上の被監視装置について監視を行い、得られた監視情報を上位監視システムへ転送する監視装置と、監視装置からモード情報を受信し、受信したモード情報と、予め監視装置それぞれの正しいモード情報が記録されたモード情報管理ファイルとを比較し、モード情報とモード情報管理ファイルが不一致の場合には監視装置に対して正しいモード情報への設定要求を行い、監視装置が正常に動作しない場合に装置故障通知を行う手段を備え、監視装置とネットワークで接続され、一又は二以上の監視装置について監視および情報転送を行う上位監視システムとからなることを特徴とする監視システムである。
【発明の効果】
【０００９】
この発明によれば、遠隔地に配置された監視装置の初期立ち上げ時、装置交換時または装置内部のモード情報の破損時に、上位監視システムが自動的に監視装置のモード情報の再設定を行うため、直ちに監視を再開することができ、故障等による影響を最小限に抑制することができる。
【発明を実施するための最良の形態】
【００１０】
以下、この発明の一実施の形態について図面を参照しながら説明する。
【００１１】
図１Ａに、監視システム１の構成を示す。監視システム１は、上位監視システム２Ａと、上位監視システム２Ａと接続された監視装置２Ｂ1、２Ｂ2・・・２Ｂnとを有している。なお、図１Ａでは、一例として監視装置２Ｂ1に被監視装置として伝送装置４Ａと、伝送装置４Ｂとが接続され、監視装置２Ｂ2に被監視装置として付帯設備５が接続されている構成を示している。なお、監視装置２Ｂ3・・・２Ｂnのそれぞれにも伝送装置４Ａおよび４Ｂまたは付帯設備５等の被監視装置が接続されているものとする。
【００１２】
監視装置２Ｂ1および２Ｂ2は、伝送装置４Ａおよび４Ｂならびに付帯設備５等の被監視装置を監視し、伝送装置４Ａおよび４Ｂ、ならびに付帯設備５から監視情報を収集し、上位監視システム２Ａへ監視情報の送信を行う。監視情報としては、ドアの開閉等の接点情報や、温度等のアナログ監視情報、また、電源断など電源故障等の異常状態が生じた場合の警報信号が挙げられる。
【００１３】
また、上位監視システム２Ａから伝送装置４Ａおよび４Ｂ、ならびに付帯設備５についての問い合わせがあった場合には、監視装置２Ｂ1は伝送装置４Ａおよび４Ｂの、監視装置２Ｂ2は付帯設備５の状態について得た信号および情報を上位監視システム２Ａに送信して応答する。
【００１４】
監視装置２Ｂ1、２Ｂ2・・・２Ｂnには、被監視装置の構成や環境に合わせて様々なインタフェースが設けられている。インタフェースとしては、例えば、接点情報インタフェース、ローカルバスインタフェース、ビデオインタフェース等が挙げられる。監視装置２Ｂ1、２Ｂ2・・・２Ｂnはハードウェア（図示せず）を有している。このハードウェアには、上述のような各インタフェースにそれぞれ対応する複数のモード情報が記憶されている。監視装置２Ｂ1、２Ｂ2・・・２Ｂnでは、伝送装置４Ａおよび４Ｂまたは付帯設備５等、接続される被監視装置のインタフェースによって装置内部で対応するモード情報が設定され、設置環境のインタフェースに即座に対応させることができる。
【００１５】
また、監視装置２Ｂ1、２Ｂ2・・・２Ｂnは、例えば監視装置２Ｂ1、２Ｂ2・・・２Ｂnにリセットスイッチを設け、これを監視装置側で操作することにより、監視装置２Ｂ1、２Ｂ2・・・２Ｂnのリセットを行うことができる。また、監視装置側での操作のみでなく、上位監視システム２Ａからの遠隔操作により監視装置２Ｂ1、２Ｂ2・・・２Ｂnのリセットを行うこともできる。監視装置２Ｂ1、２Ｂ2・・・２Ｂnのリセットは、例えば、監視装置２Ｂ1、２Ｂ2・・・２Ｂnのいずれか、または全てにおいてモード情報の破損が生じた場合に行う。リセットは、モード情報の破損が生じた監視装置２Ｂ1、２Ｂ2・・・２Ｂnのそれぞれを操作して行ってもよい。また、上位監視システム２Ａから遠隔操作することにより、全ての監視装置２Ｂ1、２Ｂ2・・・２Ｂnを一括してリセットすることもできる。
【００１６】
上位監視システム２Ａは、監視装置２Ｂ1、２Ｂ2・・・２Ｂnから接点情報やアナログ監視情報等を収集し、例えば上位監視システム２Ａに設けられたモニター（図示せず）に被監視装置の状態を表示する。また、伝送装置４Ａおよび４Ｂ、ならびに付帯設備５等の被監視装置もしくは監視装置２Ｂ1、２Ｂ2・・・２Ｂnに異常が生じて警報信号を受信した場合に、モニターに異常状態を表示したり、アラームを鳴らすように構成されている。監視情報および警報信号は所定ビット数のデータからなり、これを所定のフォーマットに変換してモニターに表示することにより、保守者に情報を伝えることができる。
【００１７】
上位監視システム２Ａは、予め各監視装置２Ｂ1、２Ｂ2・・・２Ｂnのモード情報が記録されたモード情報管理ファイル３を読み出して、各監視装置２Ｂ1、２Ｂ2・・・２Ｂnの正しいモード情報を得られるように構成されている。上位監視システム２Ａは、例えば監視装置２Ｂ1、２Ｂ2・・・２Ｂnの初期立ち上げ時や故障等による交換時、また監視装置２Ｂ1、２Ｂ2・・・２Ｂn内のモード情報の破損時に、監視装置２Ｂ1、２Ｂ2・・・２Ｂnを新たに設定することが必要とされる。このように、新たにモード情報の設定が必要となった監視装置２Ｂ1、２Ｂ2・・・２Ｂnのいずれかのモード情報と、モード情報管理ファイル３に記録された正しいモード情報とを比較する。比較の結果、不一致した場合には、上位監視システム２Ａは、正しいモード情報を監視装置に再設定する。
【００１８】
このような各監視装置２Ｂ1、２Ｂ2・・・２Ｂnと、上位監視システム２Ａは、専用線、例えばイーサネット（登録商標）のようなネットワークで接続されている。また、伝送装置４Ａおよび４Ｂも同様にネットワークで接続されている。なお、伝送装置４Ａおよび４Ｂは、例えば同じ建物内に設置されるのみでなく、異なる建物にそれぞれ設置しても良い。
【００１９】
図１Ｂに、モード情報管理ファイル３に記録されたモード情報の一例を示す。モード情報としては、監視装置毎にモード（いずれのインタフェースが使用されるか）や被監視装置のアドレス等を示す装置ＩＤ、また、監視装置に設けられた端子それぞれの接続先を示す情報など、種々の情報が記録されている。モード情報は、所定ビット数の２進コードで示されている。
【００２０】
また、監視装置２Ｂ1、２Ｂ2・・・２Ｂnと接続される伝送装置４Ａおよび４Ｂは、伝送装置４Ａ、４Ｂ間の通信路の接続が保たれているか監視される。また、付帯設備５は、ドアの開閉のような接点情報や温度情報等の監視を行っている。
【００２１】
図２に、上位監視システム２Ａが監視装置２Ｂ1、２Ｂ2・・・２Ｂnのモード情報の再設定を行う際の動作を説明するフローチャートを示す。なお、以下では、上位監視システム２Ａに接続された監視装置２Ｂ1、２Ｂ2・・・２Ｂnのうち、監視装置２Ｂ2について再設定を行うものとする。
【００２２】
まず、ステップＳ１において、監視装置２Ｂ2が初期立ち上げや故障による交換、監視装置２Ｂ2内のモード情報の破損による再起動により電源がＯＮされた場合、または監視装置２Ｂ2の内部で設定情報のリセットが行われる。続いて、ステップＳ２において、監視装置２Ｂ2は、装置の立ち上げ通知と現在監視装置２Ｂ2内に設定されているモード情報を上位監視システム２Ａに通知する。なお、立ち上げ通知内にモード情報が含まれていても良い。
【００２３】
一方、上位監視システム２Ａは、ステップＳ３において、一定時間毎に監視装置２Ｂ1、２Ｂ2・・・２Ｂnからの立ち上げ通知および設定されているモード情報の受信を行う。そして、立ち上げ通知およびモード情報が未受信の場合は、再度これらの情報の受信を一定時間毎に行う。また、いずれかの監視装置からこれらの情報を受信した場合は、ステップＳ４において、予め各監視装置２Ｂ1、２Ｂ2・・・２Ｂnのモード情報が記録されたモード情報管理ファイル３の読み出しを行う。
【００２４】
次に、ステップＳ５において、読み出したモード情報管理ファイル３と、監視装置２Ｂ2から受信したモード情報とを比較する。監視装置２Ｂ2から受信したモード情報がモード情報管理ファイル３に記録された監視装置２Ｂ2のモード情報と一致した場合は、モード情報の再設定動作を終了する。また、監視装置２Ｂ2から受信したモード情報とモード情報管理ファイル３の監視装置２Ｂ2のモード情報とが不一致した場合には、ステップＳ６において、監視装置２Ｂ2に対して正しいモード情報の設定要求を行う。
【００２５】
監視装置２Ｂ2では、ステップＳ７において上位監視システム２Ａから正しいモード情報の設定要求を受信すると、ステップＳ８において監視装置２Ｂ2で正しいモード情報の設定が実行される。そして、監視装置２Ｂ2は、ステップＳ９において、上位監視システム２Ａに対して新たに設定されたモード情報を送信する。
【００２６】
新たに設定されたモード情報を受信した上位監視システム２Ａは、ステップＳ１０において、監視装置２Ｂ2がモード情報設定要求を受信してモード情報の再設定が行われたかを検知する。そして、監視装置２Ｂ2に正しいモード情報が設定され、監視装置２Ｂ2の動作が正常であることを検知した場合には、モード情報の再設定動作を終了する。また、監視装置２Ｂ2の動作が異常であることを検知した場合には、ステップＳ１１において、警報画面に異常状態であることを知らせるメッセージを表示したり、アラームを鳴らすことで、監視装置２Ｂ2の故障通知を行う。
【００２７】
このように、遠隔地に配置された監視装置２Ｂ1、２Ｂ2・・・２Ｂnの初期立ち上げ時、装置交換時または装置内部のモード情報の破損時において、上位監視システム２Ａが自動的に監視装置のモード情報の再設定を行うため、直ちに監視を再開することができ、故障等による影響を最小限に抑制することができる。
【００２８】
以上、この発明の一実施の形態について具体的に説明したが、この発明は、上述の一実施の形態に限定されるものではなく、この発明の技術的思想に基づく各種の変形が可能である。
【００２９】
例えば、上述の一実施の形態の監視システムでは、監視装置からの契機にてモード情報を設定する構成を記載したが、上位監視システムのオペレータからの操作による契機でも監視装置へモード情報を設定することも可能である。
【００３０】
また、この発明にかかる監視システムでは、監視システムと監視装置との接続は専用線のみならず、公衆回線を用いることも可能である。
【図面の簡単な説明】
【００３１】
【図１】この発明の一実施形態にかかる監視システムの構成を示す模式図である。
【図２】この発明の一実施形態にかかる上位監視システムおよび監視装置の動作を示すフローチャートである。
【符号の説明】
【００３２】
１・・・監視システム
２Ａ・・・上位監視システム
２Ｂ1、２Ｂ2・・・２Ｂn・・・監視装置
３・・・モード情報管理ファイル
４Ａ、４Ｂ、５・・・被監視装置
【図１】
2009089110.tif 000003
【図２】
2009089110.tif 000004